(57)【要約】【課題】受信した放送波に含まれ暗号化された映像音声情報を効率よくデスクランブルして、放送番組の出力又は録画を同時に行うこと。【解決手段】選局処理部２１１が選局したチャンネルの番組の信号に基づいてＴＳ信号処理部２１２はスクランブルされた映像音声情報を復号部２１４へ出力する。選局処理部２０１が選局処理部２１１と同じチャンネルを選局している場合、暗号解除情報処理部２０３はＴＳ信号処理部２０２からの情報によりＩＣカードＣＤａ，ＣＤｂから取得したスクランブルキーを、通信部２０５，２１５を介して暗号解除情報処理部２１３へ出力する。復号器２０４がこのキーで復号した映像音声は映像音声処理部２０６を介して表示器５１とスピーカ５２から出力される。暗号解除情報処理部２１３がこのキーを出力した復号部２１４で復号された映像音声は映像音声処理部２１６を介してＨＤＤ６０へ記録される。【選択図】  図２
2011139335.tif 000002
【特許請求の範囲】
【請求項１】
暗号化された情報を含む第１の放送番組を受信する第１の受信手段と、
暗号化された情報を含む第２の放送番組を受信する第２の受信手段と、
前記第１の受信手段が受信した前記第１の放送番組に含まれる前記情報を復号するために利用される暗号解除情報を生成する情報生成部品から、前記暗号解除情報を取得する情報取得手段と、
前記第１の受信手段が受信した前記第１の放送番組に含まれる前記情報を、前記暗号解除情報を利用して復号する第１の復号手段と、
前記第２の受信手段が受信した前記第２の放送番組に含まれる前記情報を、前記情報取得手段が取得した前記暗号解除情報を利用して復号する第２の復号手段と、
を具備することを特徴とする放送受信装置。
【請求項２】
前記第１の受信手段が受信した前記第１の放送番組に含まれ、前記第１の放送番組に含まれる前記情報を復号するために利用される前記暗号解除情報の基となる基情報を抽出する情報抽出手段を更に具備し、
前記第１及び第２の放送番組が同じ場合、前記情報取得手段は、前記情報抽出手段が抽出した前記基情報に基づいて、前記暗号解除情報を取得することを特徴とする請求項１記載の放送受信装置。
【請求項３】
前記第２の受信手段が受信した前記第２の放送番組に含まれ、前記第２の放送番組に含まれる前記情報を復号するために利用される暗号解除情報の基となる基情報を抽出する、前記情報抽出手段とは異なる第２の情報抽出手段を更に具備し、
前記第１及び第２の放送番組が異なる場合、前記情報取得手段は、前記第２の情報抽出手段が抽出した前記基情報に基づいて、前記暗号解除情報を取得することを特徴とする請求項２記載の放送受信装置。
【請求項４】
前記第１の復号手段が復号した前記第１の放送番組に含まれる前記情報に基づいて、第１の映像音声を出力する出力制御手段と、
前記第２の復号手段が復号した前記第２の放送番組に含まれる前記情報に基づいて、第２の映像音声を記録する記録制御手段と、
を具備することを特徴とする請求項１乃至３の何れかに記載の放送受信装置。
【請求項５】
前記第１の復号手段と前記第２の復号手段とは、それぞれ異なるパッケージに封印された異なる半導体部品として構成され、
第２の復号手段は、前記異なる半導体部品の間で行われる通信によって、前記暗号解除情報を得ることを特徴とする請求項１乃至４の何れかに記載の放送受信装置。
【請求項６】
暗号化された情報を含む第１の放送番組を受信し、
暗号化された情報を含む第２の放送番組を受信し、
受信した前記第１の放送番組に含まれる前記情報を復号するために利用される暗号解除情報を生成する情報生成部品から、前記暗号解除情報を取得し、
受信した前記第１の放送番組に含まれる前記情報を、前記暗号解除情報を利用して復号し、
受信した前記第２の放送番組に含まれる前記情報を、取得した前記暗号解除情報を利用して復号する、
ことを特徴とする放送受信方法。
【発明の詳細な説明】
【技術分野】
【０００１】
本発明は、デスクランブルされた映像音声情報が含まれる放送波を受信する放送受信装置及び放送受信方法に関する。
【背景技術】
【０００２】
近年、チューナなどを複数備え、同時に放送される複数の異なる番組について、利用者による視聴のための映像音声の出力又は映像音声の録画を同時に行うことができる放送受信機器が広く普及している。この放送受信機器は、番組の出力又は録画のために受信した複数の異なる番組それぞれについて、個別に復調／復号処理を施す必要がある。このため放送受信機器が、放送波の受信及び復調／復号処理を実行するチューナや信号処理ＩＣを複数備える場合がある。
【０００３】
ところで、地上波や衛星によるデジタル放送では、番組の映像音声情報は暗号化（スクランブル）されて放送されている。前述した放送受信機器は、受信した放送波に含まれる暗号化された映像音声情報を所定の暗号解除情報を利用して復号（デスクランブル）することで、番組の映像音声の出力又は録画を行うことが可能となる。このように暗号化された映像音声情報のデスクランブルには、暗号解除情報を有する暗号解除部品が必要になる。例えば、日本でのデジタル放送のシステムにおいては、暗号解除部品としてＢ−ＣＡＳカードが適用されている。
【０００４】
従って前述した例のように信号処理ＩＣが複数備えられた場合、番組の出力又は録画を行うためのデスクランブルで利用される暗号解除情報は、それぞれの信号処理ＩＣで必要とされる。そこで番組の出力又は録画を同時に行うために、このような複数の信号処理ＩＣそれぞれが、受信した複数の異なる番組それぞれについて効率よくデスクランブルするための技術が望まれている。
【０００５】
例えば、特許文献１によれば、受信したサービス（番組）が、装着されたＢ−ＣＡＳカードで視聴可能かを確認し、視聴できないと判定した場合は、通信インターフェースで接続する接続機器に対して、当該接続機器に装着されたＢ−ＣＡＳカードで当該サービスが視聴可能かを、この通信インターフェースを通じて確認し、視聴が可能である場合は、接続機器での視聴または予約の設定を行うデジタル放送受信機の構成が開示されている。
【０００６】
また、特許文献１による手法以外にも、複数の信号処理ＩＣ同士を通信可能に接続し、これら複数の信号処理ＩＣそれぞれに接続されたＢ−ＣＡＳカードにアクセスして取得した情報を、お互いに通信して共有するようにした構成による手法も知られている。
【先行技術文献】
【特許文献】
【０００７】
【特許文献１】特開２００７−２２８３５０号公報  （図１  段落００２５）
【発明の概要】
【発明が解決しようとする課題】
【０００８】
しかし特許文献１では、一方の機器が、この機器のＢ−ＣＡＳカードでデスクランブルできない番組の視聴又は予約を他方の機器に委任する手法であった。従って、例えば双方の機器が、双方がデスクランブル可能な番組を同時に視聴又は予約をする場合には、同様な内容のデスクランブルのための複数の処理を双方の機器で平行して実行することになり、通信インターフェースで接続されているにも関わらず無駄な処理が多い構成であったといえる。
【０００９】
また、複数の信号処理ＩＣがそれぞれに接続されたＢ−ＣＡＳカードにアクセスして取得した情報を共有するようにした手法でも、実装によっては、それぞれの信号処理ＩＣが、同じ番組についてデスクランブルするための複数の処理を個別に実行する可能性があった。またそれぞれの信号処理ＩＣが通信によって情報の要求や応答をお互いに行い合うことで、通信トラフィックが混雑し帯域を占有してしまうことが懸念される。
【００１０】
すなわち、従来は、放送番組の出力又は録画を同時に行う場合に、受信した放送波に含まれ、暗号化された映像音声情報が効率よくデスクランブルされていなかった。
【００１１】
そこで、本発明は上述した課題を解決するために、受信した放送波に含まれ、暗号化された映像音声情報を効率よくデスクランブルして、放送番組の出力又は録画を同時に行うことができる放送受信装置及び放送受信方法を提供することを目的とする。
【課題を解決するための手段】
【００１２】
本発明は上述した課題を解決するため、暗号化された情報を含む第１の放送番組を受信する第１の受信手段と、暗号化された情報を含む第２の放送番組を受信する第２の受信手段と、前記第１の受信手段が受信した前記第１の放送番組に含まれる前記情報を復号するために利用される暗号解除情報を生成する情報生成部品から、前記暗号解除情報を取得する情報取得手段と、前記第１の受信手段が受信した前記第１の放送番組に含まれる前記情報を、前記暗号解除情報を利用して復号する第１の復号手段と、前記第２の受信手段が受信した前記第２の放送番組に含まれる前記情報を、前記情報取得手段が取得した前記暗号解除情報を利用して復号する第２の復号手段とを具備することを特徴とする放送受信装置を提供する。
【００１３】
また本発明は上述した課題を解決するため、暗号化された情報を含む第１の放送番組を受信し、暗号化された情報を含む第２の放送番組を受信し、受信した前記第１の放送番組に含まれる前記情報を復号するために利用される暗号解除情報を生成する情報生成部品から、前記暗号解除情報を取得し、受信した前記第１の放送番組に含まれる前記情報を、前記暗号解除情報を利用して復号し、受信した前記第２の放送番組に含まれる前記情報を、取得した前記暗号解除情報を利用して復号することを特徴とする放送受信方法を提供する。
【発明の効果】
【００１４】
本発明によれば、受信した放送波に含まれ、暗号化された映像音声情報を効率よくデスクランブルして、放送番組の出力又は録画を同時に行うことができる。
【図面の簡単な説明】
【００１５】
【図１】本発明の実施形態に係る放送受信装置であるテレビジョン受像機の構成を示すブロック図。
【図２】２つの信号処理制御部に備えられ、放送番組の映像音声情報のデスクランブル処理を実行する複数のブロックからなるシステム構成図。
【図３】一方の信号処理制御部が選局したチャンネルの番組であって、他方の信号処理制御部が選局したチャンネルの番組とは異なる番組のデスクランブル処理の動作を説明するためのフローチャート。
【図４】一方の信号処理制御部が選局したチャンネルの番組であって、他方の信号処理制御部が選局したチャンネルの番組と同じ番組のデスクランブル処理の動作を説明するためのフローチャート。
【発明を実施するための形態】
【００１６】
以下、本発明における実施形態について図面を用いて説明する。
図１は、本発明の実施形態に係る放送受信装置であるテレビジョン受像機１０の構成を示すブロック図である。
このテレビジョン受像機１０は、地上放送処理部２０ａ、衛星放送処理部２０ｂ、外部機器ＩＦ部２１、操作部３１、受光部３２、信号処理制御部４０ａ、信号処理制御部４０ｂ、表示器５１、スピーカ５２、ＨＤＤ６０、カードＩＦ部７１ａ、カードＩＦ部７１ｂなどで構成されている。
【００１７】
地上放送処理部２０ａにはアンテナＡＮＴ１が、衛星放送処理部２０ｂにはアンテナＡＮＴ２がそれぞれ接続されている。受光部３２はリモートコントローラ（以下、リモコンと称する）ＲＣと情報のやりとりを行う。カードＩＦ部７１ａはＩＣカードＣＤａを、カードＩＦ部７１ｂはＩＣカードＣＤｂを装着される。
【００１８】
テレビジョン受像機１０は、地上放送処理部２０ａ、衛星放送処理部２０ｂを介して取得した番組について、テレビジョン受像機１０の利用者による視聴のための映像音声の出力又は映像音声の録画を行う。地上デジタル放送波（以下、地上放送と称する）及び衛星デジタル放送波（以下、衛星放送と称する）で放送される番組の映像音声情報は、所定の暗号化情報であるスクランブルキー（Ｋｓ）で暗号化されている。従ってテレビジョン受像機１０は、暗号化するための情報であると共に、暗号を解除するための暗号解除情報であるスクランブルキー（Ｋｓ）を利用して番組の映像音声情報を復号することで、漸く番組の出力又は録画を行うことができる。このような番組の映像音声情報を復号する処理又は復号そのものは、デスクランブルと呼ばれる。
【００１９】
このスクランブルキー（Ｋｓ）は、映像音声情報に付随して放送されるＳＩ情報の一部である、ＥＣＭ（Entitled Control Message）及びＥＭＭ（Entitled Management Message）と、ＩＣカードＣＤａ（又は同ＣＤｂ）に格納されているマスターキー（Ｋｍ）とによって生成される。従って、ＥＣＭ、ＥＭＭ及びマスターキー（Ｋｍ）は、暗号解除情報であるスクランブルキー（Ｋｓ）の基となる基情報であるといえる。
【００２０】
すなわち、本実施形態に係るテレビジョン受像機１０は、地上放送処理部２０ａ又は衛星放送処理部２０ｂからの放送番組を、信号処理制御部４０ａ及び同４０ｂと、カードＩＦ部７１ａに装着されるＩＣカードＣＤａ又はカードＩＦ部７１ｂに装着されるＩＣカードＣＤｂとを利用してデスクランブルし、この番組の出力又は録画を行う。
【００２１】
地上放送処理部２０ａは、アンテナＡＮＴ１によって受信された地上デジタル放送波に対応するチューナ及び復調器を有する。この地上放送処理部２０ａは、アンテナＡＮＴ１が受信した信号を取得し、この取得した信号に対して、信号処理制御部４０ａ又は同４０ｂから要求された番組に対して選局処理及び復調処理などを施す。そして地上放送処理部２０ａは、これらの処理を施した、番組の映像音声情報や番組名等の番組関連情報が含まれるトランスポートストリーム信号（以下、ＴＳ信号と称する）を信号処理制御部４０ａ，４０ｂへ出力する。この地上放送処理部２０ａは、ＥＣＭ及びＥＭＭが含まれるＳＩ情報が含まれる信号を取得し、これらの情報が含まれるＴＳ信号を出力する。また本実施形態では、地上放送処理部２０ａは複数設けられる構成である。
【００２２】
衛星放送処理部２０ｂは、アンテナＡＮＴ２によって受信された衛星デジタル放送波に対応するチューナ及び復調器を有する。この衛星放送処理部２０ｂは、アンテナＡＮＴ１が受信した信号を取得し、この取得した信号に対して、信号処理制御部４０ａ又は同４０ｂから要求された番組に対して選局処理や復調処理などを施す。そして衛星放送処理部２０ｂは、これらの処理を施した、番組の映像音声情報や番組名等の番組関連情報が含まれるＴＳ信号を信号処理制御部４０ａ，４０ｂへ出力する。この衛星放送処理部２０ｂは、ＥＣＭ及びＥＭＭが含まれるＳＩ情報が含まれる信号を取得し、これらの情報が含まれるＴＳ信号を出力する。また本実施形態では、衛星放送処理部２０ｂは複数設けられる構成である。
【００２３】
外部機器ＩＦ部２１は、ＨＤＭＩ（登録商標）規格、ＵＳＢ規格又はＩＥＥＥ１３９４規格などの様々な規格に基づいて特定の情報を抽出する情報抽出部を有する。また外部機器ＩＦ部２１は、これらの様々な規格に準じた接続端子を介して接続された外部機器や、外部ＨＤＤ、メモリカードなどの記録媒体といった情報提供源から、コンテンツの映像音声情報やコンテンツ関連情報が含まれる信号を取得して、この信号に基づくＴＳ信号を信号処理制御部４０ａ，４０ｂへ出力する。
【００２４】
操作部３１は、テレビジョン受像機１０を操作するための操作入力を受ける操作キーを有し、この操作キーへの入力に応じた操作入力情報を信号処理制御部４０ａ，４０ｂへ出力する。同様に受光部３２は、リモコンＲＣからの操作入力を示す信号を受光（受信）して、受光した信号に応じた操作入力情報を信号処理制御部４０ａ，４０ｂへ出力する。この操作部３１またはリモコンＲＣは、受信するチャンネルを切り替えるためのチャンネルキー、特定の番組を録画するための録画開始キーなどを備えている。
【００２５】
信号処理制御部４０ａは、信号処理制御部４０ａ自身に備えられた各ブロックや信号処理制御部４０ａに接続された各モジュールを利用して、複数の処理を実行する。例えば信号処理制御部４０ａは、操作部３１や受光部３２を介したリモコンＲＣからの操作入力情報に応じて、地上放送処理部２０ａ、衛星放送処理部２０ｂ又は外部機器ＩＦ部２１といった入力ソースの何れかからのＴＳ信号の入力を選択する入力選択処理や、選択された入力ソースから入力されたＴＳ信号に基づいた映像音声を出力するための処理を施す。具体的には信号処理制御部４０ａは、選択した入力ソースから入力されたＴＳ信号に対して、映像情報と音声情報とを分離する分離処理やＭＰＥＧ復号化演算処理などの処理を施して、表示器５１へ映像信号を出力すると共にスピーカ５２へ音声信号を出力する。
【００２６】
本実施形態では、信号処理制御部４０ａは、地上放送処理部２０ａ又は衛星放送処理部２０ｂから入力されたＴＳ信号からＥＣＭ及びＥＭＭを抽出する抽出処理や、信号処理制御部４０ｂと通信する通信処理を実行する。また信号処理制御部４０ａは、カードＩＦ部７１ａに装着されるＩＣカードＣＤａ又はカードＩＦ部７１ｂに装着されるＩＣカードＣＤｂを利用して、暗号化された映像音声情報のデスクランブルに利用される暗号解除情報（スクランブルキー（Ｋｓ））を取得する。さらに信号処理制御部４０ａは、この暗号処理情報で映像音声情報をデスクランブルする。
【００２７】
信号処理制御部４０ｂは、信号処理制御部４０ｂ自身に備えられた各ブロックや信号処理制御部４０ｂに接続された各モジュールを利用して、複数の処理を実行する。例えば信号処理制御部４０ｂは、信号処理制御部４０ａと同様の入力選択処理や、選択した入力ソースから入力されたＴＳ信号に基づいた映像音声を録画するための処理を施す。具体的には信号処理制御部４０ａは、入力された信号に対して、映像情報と音声情報とを分離する分離処理や録画するためのフォーマットに変換するフォーマット変換処理などを施し、フォーマット変換された映像音声情報をＨＤＤ６０へ記録する。
【００２８】
本実施形態では、信号処理制御部４０ｂは、地上放送処理部２０ａ又は衛星放送処理部２０ｂから入力されたＴＳ信号からＥＣＭ及びＥＭＭを抽出する抽出処理や、信号処理制御部４０ａと通信する通信処理を実行する。また信号処理制御部４０ｂは、信号処理制御部４０ａと通信することで取得した暗号解除情報を利用して、暗号化された映像音声情報をデスクランブルする。
【００２９】
これら信号処理制御部４０ａ，４０ｂは、同じブロックからなる同じシステム構成を備えるものであるが、接続されるブロックの違いにより、異なる動作を実行することになる。
【００３０】
表示器５１は、信号処理制御部４０ａから入力された映像信号を表示する表示パネルを含む表示モジュールである。表示器５１には例えば、ＬＣＤ（Liquid Crystal Display）やＰＤＰ（Plasma Display Panel）などの薄型平面ディスプレイを適用することができる
【００３１】
スピーカ５２は、信号処理制御部４０ａから入力された音声信号を出力する。スピーカ５２は、一つだけではなく、左右チャンネル用に２つ、又は入力された音声信号の低音域を出力するためのサブウーファなどが設けられてもよい。
【００３２】
ＨＤＤ６０は、様々な情報を記憶するための記憶媒体であるハードディスクに対して、信号処理制御部４０ｂから要求された情報を読み出す処理又は書き込む処理を実行するドライブ装置である。このＨＤＤ６０は、信号処理制御部４０ｂから出力される、録画するためのフォーマットに変換された映像音声情報を記憶する。このＨＤＤ６０は、様々な情報を記憶するための記憶媒体である半導体素子に対して、情報を読み出す処理又は書き込む処理を実行するＳＳＤ（Solid State Drive）であってもよい。
【００３３】
カードＩＦ部７１ａ，７１ｂは、ＩＣカードＣＤａ，ＣＤｂを装着するため機構部、及びＩＣカードＣＤａ，ＣＤｂと通信するための通信処理部を有する。カードＩＦ部７１ａ，７１ｂは、ＩＣカードＣＤａ，ＣＤｂと通信して、信号処理制御部４０ａ，４０ｂで実行されるデスクランブル処理のために必要な情報を送受信する。
【００３４】
またこれらのブロックだけでなく、テレビジョン受像機１０は、ＬＡＮ又はＷＡＮなどのネットワークを介して通信を行う通信処理部を有するネットワークＩＦ機能を実現するブロック（不図示）を備えてもよい。このブロックは、接続したネットワーク先の特定サーバや記録媒体などの情報提供源から、コンテンツの映像音声情報やコンテンツ関連情報が含まれる信号を取得して、この信号に基づくＴＳ信号を信号処理制御部４０ａ，４０ｂへ出力する。また信号処理制御部４０ａ，４０ｂは、入力ソースの一つとして、このブロックから入力されるＴＳ信号を選択する。
【００３５】
なお本実施形態は、本発明に係る構成を適用した放送受信装置として、テレビジョン受像機１０を例とした実施形態である。しかし、本実施形態に係る放送受信装置と同様の構造の、パーソナルコンピュータ、携帯型移動端末装置、ＨＤＤ／光ディスクレコーダなどを例とした形態であっても構わない。また、地上放送や衛星放送だけでなく、ラジオ放送やインターネット又はケーブルネットワーク等を用いた有線放送などを受信するセットトップボックスなどを例とした実施形態であってもよい。
【００３６】
このような構成により、本発明の実施形態に係るテレビジョン受像機１０に備えられた複数のブロックが、地上放送処理部２０ａ又は衛星放送処理部２０ｂから入力される放送番組のＴＳ信号に基づいて、ＥＣＭ及びＥＭＭの抽出処理や、映像音声情報のデスクランブル処理を並列的に実行する。このデスクランブル処理で利用される暗号解除情報は、２つの信号処理制御部４０ａ，４０ｂのうちの一方の信号処理制御部４０ａに接続されるＩＣカードＣＤａ，ＣＤｂを利用して取得される。従ってこのテレビジョン受像機１０は、暗号化された放送番組の映像音声情報を効率よくデスクランブルすることができる。これらの処理は、主に信号処理制御部４０ａ，４０ｂが複数の処理を連携して実行することで実現されるものである。
【００３７】
次に、図２を用いて、図１で説明した信号処理制御部４０ａ，４０ｂに備えられ、放送番組の映像音声情報のデスクランブル処理を実行する複数のブロックを説明する。
【００３８】
図２は、信号処理制御部４０ａ，４０ｂに備えられ、放送番組の映像音声情報のデスクランブル処理を実行する複数のブロックからなるシステム構成図である。
信号処理制御部４０ａ，４０ｂは同じブロックからなる同じシステム構成を備え、それぞれがパッケージ封印された異なる半導体部品として構成される。また本実施形態においては、信号処理制御部４０ａ，４０ｂが備えるいくつかのブロックに接続されるモジュールが異なり、このことでいくつかのブロックが異なる動作を実行するものである。従ってこれ以降では、まず、信号処理制御部４０ａに備えられる各ブロックについて説明する。そして引き続き、信号処理制御部４０ｂに備えられる各ブロックについて、信号処理制御部４０ａと共通の動作を行うブロックの説明は省略又は簡略化し、異なる動作を行うブロックについては補足的に説明する。すなわち、図２に示すシステム構成図を用いて、信号処理制御部４０ａ，４０ｂの両方のシステム構成を説明する。ここで、信号処理制御部４０ａ，４０ｂが備えるそれぞれのブロックは同じものであるがそれぞれの符号は変えて説明する。
【００３９】
（信号処理制御部４０ａのシステム構成）
信号処理制御部４０ａは、選局処理部２０１、ＴＳ信号処理部２０２、暗号解除情報処理部２０３、復号部２０４、通信部２０５、映像音声処理部２０６などを備えている。
【００４０】
選局処理部２０１は、操作部３１や受光部３２を介したリモコンＲＣからの操作入力情報に応じて、特定のチャンネルの番組を選局するように、地上放送処理部２０ａ又は衛星放送処理部２０ｂに要求する。また選局処理部２０１は、選局を要求した地上放送処理部２０ａ又は衛星放送処理部２０ｂの何れかからのＴＳ信号の入力を選択するための入力選択情報をＴＳ信号処理部２０２へ出力する。さらに選局処理部２０１は、信号処理制御部４０ａで選局されたチャンネルに関する情報である４０ａチャンネル情報を暗号解除情報処理部２０３へ通知する。
【００４１】
ＴＳ信号処理部２０２は、選局処理部２０１から入力された入力選択情報に応じて、地上放送処理部２０ａ又は衛星放送処理部２０ｂの何れかから入力されるＴＳ信号を選択して切り替える入力選択処理を実行する。またＴＳ信号処理部２０２は、選択して切り替えた入力ソースから入力されたＴＳ信号に対して分離処理を施し、分離した映像情報と音声情報とを復号部２０４へ出力する。さらにＴＳ信号処理部２０２は、入力されたＴＳ信号のＳＩ情報に含まれるＥＣＭ及びＥＭＭを抽出し、この抽出したＥＣＭ及びＥＭＭを暗号解除情報処理部２０３へ出力する。
【００４２】
暗号解除情報処理部２０３は、ＴＳ信号処理部２０２から入力されたＥＣＭ及びＥＭＭを、カードＩＦ部７１ａ，７１ｂを介してＩＣカードＣＤａ，ＣＤｂへ送信して、ＩＣカードＣＤａ，ＣＤｂから暗号解除情報であるスクランブルキー（Ｋｓ）をカードＩＦ部７１ａ，７１ｂを介して受信して取得する。すなわちＩＣカードＣＤａ，ＣＤｂは、暗号解除情報を生成する報生成部品として構成されている。そして暗号解除情報処理部２０３は、取得したスクランブルキー（Ｋｓ）を復号部２０４へ出力する。また暗号解除情報処理部２０３は、選局処理部２０１から入力された４０ａチャンネル情報と、通信部２０５から入力された、信号処理制御部４０ｂで選局されたチャンネルに関する情報である４０ｂチャンネル情報とに基づいて、双方が同じチャンネルを選局しているか否かを判断して、この判断結果を通信部２０５へ出力する。さらに暗号解除情報処理部２０３は、通信部２０５からのキー出力要求に応じて、ＩＣカードＣＤａ，ＣＤｂから取得したスクランブルキー（Ｋｓ）を通信部２０５へ出力する。また暗号解除情報処理部２０３は、通信部２０５からＥＣＭ及びＥＭＭを入力された場合、入力されたＥＣＭ及びＥＭＭをＩＣカードＣＤａ，ＣＤｂへ送信して、ＩＣカードＣＤａ，ＣＤｂから受信して取得したスクランブルキー（Ｋｓ）を通信部２０５へ出力する。
【００４３】
復号部２０４は、ＴＳ信号処理部２０２から入力された映像情報と音声情報とを、暗号解除情報処理部２０３から入力されたスクランブルキー（Ｋｓ）を利用して復号し、復号された映像情報と音声情報とを映像音声処理部２０６へ出力する。
【００４４】
通信部２０５は、信号処理制御部４０ｂと通信するための通信モジュールである。この通信部２０５は、信号処理制御部４０ｂから受信した４０ｂチャンネル情報を暗号解除情報処理部２０３へ出力すると共に、暗号解除情報処理部２０３から入力された判断結果を信号処理制御部４０ｂへ送信する。また通信部２０５は、信号処理制御部４０ｂから受信したＥＣＭ及びＥＭＭを暗号解除情報処理部２０３へ出力すると共に、暗号解除情報処理部２０３から入力されたスクランブルキー（Ｋｓ）を信号処理制御部４０ｂへ送信する。さらに通信部２０５は、信号処理制御部４０ｂからキーの提供を要求された場合、この要求に応じて暗号解除情報処理部２０３へスクランブルキー（Ｋｓ）の出力を要求すると共に、暗号解除情報処理部２０３から入力されたスクランブルキー（Ｋｓ）を信号処理制御部４０ｂへ送信する。
【００４５】
映像音声処理部２０６は、復号部２０４から入力された、復号された映像情報と音声情報とに基づいて、ＭＰＥＧ復号化演算処理などを施して映像音声信号を生成し、生成した映像信号を表示器５１へ、音声信号をスピーカ５２へ出力する。
【００４６】
（信号処理制御部４０ｂのシステム構成）
信号処理制御部４０ｂは、信号処理制御部４０ａと同様に、選局処理部２１１、ＴＳ信号処理部２１２、暗号解除情報処理部２１３、復号部２１４、通信部２１５、映像音声処理部２１６などを備えている。
【００４７】
これらのブロックのうち、選局処理部２１１、ＴＳ信号処理部２１２及び復号部２１４それぞれは、信号処理制御部４０ａに備えられた選局処理部２０１、ＴＳ信号処理部２０２及び復号部２０４と同じ動作を行う。以降では、信号処理制御部４０ａに備えられたものとは異なる動作を行うブロックを説明する。
【００４８】
暗号解除情報処理部２１３は、選局処理部２１１から入力された４０ｂチャンネル情報を通信部２１５へ出力し、この情報出力に応じた、信号処理制御部４０ａで選局されているチャンネルと一致しているか否かを示すチャンネル一致情報を、通信部２１５から受け取る。そして暗号解除情報処理部２１３は、通信部２１５から受け取ったチャンネル一致情報に基づいて、ＴＳ信号処理部２１２から入力されたＥＣＭ及びＥＭＭを通信部２１５へ出力する。さらに暗号解除情報処理部２１３は、選局処理部２１１から入力された４０ｂチャンネル情報に対応する番組の映像音声情報をデスクランブルするためのスクランブルキー（Ｋｓ）の出力を要求するキー要求情報を通信部２１５へ通知する。そして暗号解除情報処理部２１３は、通信部２１５から入力されたスクランブルキー（Ｋｓ）を復号部２１４へ出力する。
【００４９】
通信部２１５は、信号処理制御部４０ａと通信するための通信モジュールである。この通信部２１５は、暗号解除情報処理部２１３から入力された４０ｂチャンネル情報を信号処理制御部４０ａへ送信すると共に、信号処理制御部４０ａから受信したチャンネル一致情報を暗号解除情報処理部２１３へ出力する。また通信部２１５は、暗号解除情報処理部２１３から入力されたキー要求情報を信号処理制御部４０ａへ送信すると共に、信号処理制御部４０ａから受信したスクランブルキー（Ｋｓ）を暗号解除情報処理部２１３へ出力する。さらに通信部２１５は、暗号解除情報処理部２１３から入力されたＥＣＭ及びＥＭＭを信号処理制御部４０ａへ送信する。
【００５０】
映像音声処理部２１６は、復号部２１４から入力された、復号された映像情報と音声情報とに対してフォーマット変換処理を施して、このフォーマット変換した映像情報と音声情報とをＨＤＤ６０へ出力する。
【００５１】
すなわち、これら複数のブロックによるシステム構成により、信号処理制御部４０ａ，４０ｂは、通信を行うことでお互いに連携して、地上放送処理部２０ａ又は衛星放送処理部２０ｂから入力される放送番組のデスクランブル処理を並列的に実行する。この信号処理制御部４０ａ，４０ｂで実行されるデスクランブル処理で利用される暗号解除情報は、信号処理制御部４０ａ，４０ｂそれぞれで選局しているチャンネルに応じて、信号処理制御部４０ａに接続されるＩＣカードＣＤａ，ＣＤｂを利用して取得される。従ってこのテレビジョン受像機１０は、暗号化された映像音声情報を効率よくデスクランブルして、放送番組の出力又は録画を同時に行うことができる。
【００５２】
次に、図３を用いて、図２で説明した信号処理制御部４０ａ．４０ｂに備えられる各ブロックによって実行される、信号処理制御部４０ｂが選局したチャンネルの番組であって、信号処理制御部４０ａが選局したチャンネルの番組とは異なる番組のデスクランブル処理の動作を説明する。
【００５３】
図３は、信号処理制御部４０ｂが選局したチャンネルの番組であって、信号処理制御部４０ａが選局したチャンネルの番組とは異なる番組のデスクランブル処理の動作を説明するためのフローチャートである。
【００５４】
すなわち、図３に示すフローチャートは、信号処理制御部４０ａ，４０ｂそれぞれが、異なるチャンネルを選局している場合の動作を説明するための図である。
まず信号処理制御部４０ｂにおいて、特定のチャンネルが選局される（Ｓ３１１）。通信部２１５は、暗号解除情報処理部２１３を介して選局処理部２１１から出力された４０ｂチャンネル情報を信号処理制御部４０ａへ送信する（Ｓ３１２）。
【００５５】
信号処理制御部４０ａにおいて、通信部２０５が、この４０ｂチャンネル情報を受信する（Ｓ３０１）。通信部２０５は受信した４０ｂチャンネル情報を暗号解除情報処理部２０３へ出力し、暗号解除情報処理部２０３が４０ａチャンネル情報と４０ｂチャンネル情報との一致を判定する（Ｓ３０２）。すなわち信号処理制御部４０ａにおいても特定のチャンネルが選局されている。暗号解除情報処理部２０３は、このチャンネル一致の判定で、お互いの選局チャンネルが不一致であると判定すると共に、チャンネル不一致を示すチャンネル一致情報を通信部２０５へ出力し、通信部２０５がこのチャンネル一致情報を信号処理制御部４０ｂへ送信する（Ｓ３０３）。
【００５６】
信号処理制御部４０ｂにおいて、通信部２１５は、チャンネル不一致を示すチャンネル一致情報を受信する（Ｓ３１３）と、この情報を暗号解除情報処理部２１３へ出力する。そして暗号解除情報処理部２１３は、ＴＳ信号処理部２１２が、地上放送処理部２０ａ又は衛星放送処理部２０ｂ入力されたＴＳ信号から抽出したＥＣＭ及びＥＭＭを取得する（Ｓ３１４）。また暗号解除情報処理部２１３は、取得したＥＣＭ及びＥＭＭと、このＥＣＭ及びＥＭＭに基づく暗号解除情報（スクランブルキー（Ｋｓ））の出力を信号処理制御部４０ａへ要求するキー要求情報とを通信部２１５へ出力する。そして通信部２１５は、このＥＣＭ及びＥＭＭとキー要求情報とを信号処理制御部４０ａへ送信する（Ｓ３１５）。
【００５７】
信号処理制御部４０ａでは、通信部２０５が、このＥＣＭ及びＥＭＭとキー要求情報とを受信する（Ｓ３０４）。通信部２０５は、これらの情報を暗号解除情報処理部２０３へ出力し、暗号解除情報処理部２０３は、入力されたＥＣＭ及びＥＭＭをカードＩＦ部７１ａ，７１ｂを介してＩＣカードＣＤａ，ＣＤｂへ送信する（Ｓ３０５）。そして暗号解除情報処理部２０３は、カードＩＦ部７１ａ，７１ｂを介してＩＣカードＣＤａ，ＣＤｂから暗号解除情報（スクランブルキー（Ｋｓ））を受信する（Ｓ３０６）。暗号解除情報処理部２０３は、受信した暗号解除情報を通信部２０５へ出力し、受信部２０５がこの暗号解除情報を信号処理制御部４０ｂへ送信する（Ｓ３０７）。
【００５８】
信号処理制御部４０ｂでは、通信部２１５は、暗号解除情報を受信する（Ｓ３１６）と、この情報を暗号解除情報処理部２１３へ出力する。そして暗号解除情報処理部２１３は、この暗号解除情報を復号部２１４へ出力し、復号部２１４は、ＴＳ信号処理部２１２から入力された映像情報と音声情報とを、この暗号解除情報を利用して復号する（Ｓ３１７）。
【００５９】
なお、信号処理制御部４０ｂに備えられた通信部２１５が、ＥＣＭ及びＥＭＭを同時に送信する実施形態を説明したが、ＥＭＭは、デスクランブル処理の実行よりも前に送信しておく実施形態であってもよい。
【００６０】
このような動作に基づいて、信号処理制御部４０ｂが選局したチャンネルの番組であって、信号処理制御部４０ａが選局したチャンネルの番組とは異なる番組のデスクランブル処理が実行されるので、本実施形態に係るテレビジョン受像機１０は、暗号化された映像音声情報を効率よくデスクランブルして、放送番組の出力又は録画を同時に行うことができる。
【００６１】
次に、図４を用いて、図２で説明した信号処理制御部４０ａ．４０ｂに備えられる各ブロックによって実行される、信号処理制御部４０ｂが選局したチャンネルの番組であって、信号処理制御部４０ａが選局したチャンネルの番組と同じ番組のデスクランブル処理の動作を説明する。
【００６２】
図４は、信号処理制御部４０ｂが選局したチャンネルの番組であって、信号処理制御部４０ａが選局したチャンネルの番組と同じ番組のデスクランブル処理の動作を説明するためのフローチャートである。
【００６３】
すなわち、図４に示すフローチャートは、信号処理制御部４０ａ，４０ｂそれぞれが、同じチャンネルを選局している場合の動作を説明するための図である。
まず信号処理制御部４０ｂにおいて、特定のチャンネルが選局される（Ｓ４１１）。通信部２１５は、暗号解除情報処理部２１３を介して選局処理部２１１から出力された４０ｂチャンネル情報を信号処理制御部４０ａへ送信する（Ｓ４１２）。
【００６４】
信号処理制御部４０ａにおいて、通信部２０５が、この４０ｂチャンネル情報を受信する（Ｓ４０１）。通信部２０５は受信した４０ｂチャンネル情報を暗号解除情報処理部２０３へ出力し、暗号解除情報処理部２０３が４０ａチャンネル情報と４０ｂチャンネル情報との一致を判定する（Ｓ４０２）。暗号解除情報処理部２０３は、このチャンネル一致の判定で、お互いの選局チャンネルが一致していると判定すると共に、チャンネル一致を示すチャンネル一致情報を通信部２０５へ出力し、通信部２０５がこのチャンネル一致情報を信号処理制御部４０ｂへ送信する（Ｓ４０３）。また暗号解除情報処理部２０３は、４０ａチャンネル情報であって４０ｂチャンネル情報でもある現在の選局チャンネルの暗号解除情報を準備する（Ｓ４０４）。この準備は例えば、ＲＡＭ（不図示）の特定領域から暗号解除情報を読み出して通信部２０５へ通知するための領域へ書き込む動作などである。
【００６５】
信号処理制御部４０ｂにおいて、通信部２１５は、チャンネル一致を示すチャンネル一致情報を受信する（Ｓ４１３）と、この情報を暗号解除情報処理部２１３へ出力する。そして暗号解除情報処理部２１３は、暗号解除情報（スクランブルキー（Ｋｓ））の出力を信号処理制御部４０ａへ要求するキー要求情報を通信部２１５へ出力する。そして通信部２１５は、このキー要求情報を信号処理制御部４０ａへ送信する（Ｓ４１４）。
【００６６】
信号処理制御部４０ａでは、通信部２０５が、このキー要求情報を受信する（Ｓ４０５）。通信部２０５は、この情報を暗号解除情報処理部２０３へ出力し、暗号解除情報処理部２０３は、準備しておいた暗号解除情報を通信部２０５へ出力し、受信部２０５がこの暗号解除情報を信号処理制御部４０ｂへ送信する（Ｓ４０６）。
【００６７】
信号処理制御部４０ｂでは、通信部２１５は、暗号解除情報を受信する（Ｓ４１５）と、この情報を暗号解除情報処理部２１３へ出力する。そして暗号解除情報処理部２１３は、この暗号解除情報を復号部２１４へ出力し、復号部２１４は、ＴＳ信号処理部２１２から入力された映像情報と音声情報とを、この暗号解除情報を利用して復号する（Ｓ４１６）。
【００６８】
このような動作に基づいて、信号処理制御部４０ｂが選局したチャンネルの番組であって、信号処理制御部４０ａが選局したチャンネルの番組と同じ番組のデスクランブル処理が実行されるので、本実施形態に係るテレビジョン受像機１０は、暗号化された映像音声情報を効率よくデスクランブルして、放送番組の出力又は録画を同時に行うことができる。
【００６９】
以上説明したように本実施形態によれば、ＩＣカードを接続されない信号処理制御部４０ｂでの選局チャンネルの放送番組に対するデスクランブル処理に必要な暗号解除情報が、信号処理制御部４０ａに接続されるＩＣカードＣＤａ，ＣＤｂを利用して取得される。そして信号処理制御部４０ｂで利用される暗号解除情報を生成するために必要な情報であるＥＣＭ及びＥＭＭは、信号処理制御部４０ａ，４０ｂでの選局チャンネルに応じて、効率よく抽出される。従って、本発明に係る実施形態によれば、暗号化された放送番組の映像音声情報を効率よくデスクランブルすることができる。
【００７０】
なお本発明は、前述した実施形態に限定されるものではなく、本発明の要旨を変えない範囲において、種々の変更、改変等が可能である。また、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。
【符号の説明】
【００７１】
１０…テレビジョン受像機、２０ａ…地上放送処理部、２０ｂ…衛星放送処理部、２１…外部機器ＩＦ部、３１…操作部、３２…受光部、４０ａ，４０ｂ…信号処理制御部、５１…表示器、５２…スピーカ、６０…ＨＤＤ、７１ａ，７１ｂ…カードＩＦ部、ＲＣ…リモコン、ＣＤａ，ＣＤｂ…ＩＣカード、２０１，２１１…選局処理部、２０２，２１２…ＴＳ信号処理部、２０３，２１３…暗号解除情報処理部、２０４，２１４…復号部、２０５，２１５…通信部、２０６，２１６…映像音声処理部。
【図１】
2011139335.tif 000003
【図２】
2011139335.tif 000004
【図３】
2011139335.tif 000005
【図４】
2011139335.tif 000006